【手続補正書】
【提出日】平成17年3月2日(2005.3.2)
【手続補正１】
【補正対象書類名】明細書
【補正対象項目名】特許請求の範囲
【補正方法】変更
【補正の内容】
【特許請求の範囲】
【請求項１】
ドキュメントデータに対して、印刷装置で印刷処理される印刷物の印刷体裁設定を含む印刷設定を行う情報処理装置において、
生成されるドキュメントデータの各原稿ページの構造をツリー構造で示す文書構造情報をメモリに記憶して管理する管理手段と、
印刷処理すべきページを、アプリケーションにより生成されるページである原稿ページで指定する指定手段と、
前記メモリに記憶されているドキュメントデータに設定されている印刷体裁設定と前記文書構造情報とに基づいて、前記印刷装置で印刷処理される印刷用紙の中で、前記指定手段で指定される原稿ページがどの印刷用紙に配置されるかを判断する判断手段と、
前記判断手段により判断された印刷用紙に配置すべきすべての原稿ページに相当するドキュメントデータを前記管理手段から取得する取得手段と、
前記取得手段により取得された原稿ページに相当するドキュメントを描画データとして受け取り、該受け取った描画データを前記印刷装置で印刷すべく印刷データに変換する変換手段とを備え、
前記印刷体裁設定は、複数の原稿ページを１枚の印刷用紙に配置する設定であり、
前記取得手段は、前記指定された原稿ページが配置されると前記判断手段により判断された印刷用紙上に配置されるすべての原稿ページのドキュメントデータを取得することを特徴とする情報処理装置。
【請求項２】
ドキュメントデータに対して、印刷装置で印刷処理される印刷物の印刷体裁設定を含む印刷設定を行う情報処理装置において、
生成されるドキュメントデータの各原稿ページの構造をツリー構造で示す文書構造情報をメモリに記憶して管理する管理手段と、
印刷処理すべきページを、前記印刷装置で印刷処理される印刷用紙の通し番号で指定する指定手段と、
前記メモリに記憶されている文書構造情報に基づいて、前記印刷装置で印刷処理される印刷用紙の中で、前記指定手段で指定される通し番号の印刷用紙に配置される原稿ページを判断する判断手段と、
前記判断手段により判断されたすべての原稿ページに相当するドキュメントデータを前記管理手段から取得する取得手段と、
前記取得手段により取得された原稿ページに相当するドキュメントを描画データとして受け取り、該受け取った描画データを前記印刷装置で印刷すべく印刷データに変換する変換手段と
を備えることを特徴とする情報処理装置。
【請求項３】
ドキュメントデータが印刷装置で印刷処理される場合の印刷設定を行う情報処理装置において、
生成されるドキュメントデータの各原稿ページの構造をツリー構造で示す文書構造情報をメモリに記憶して管理する管理手段と、
印刷処理すべき範囲を、アプリケーションにより生成されるページである原稿ページまたは前記印刷装置で印刷処理される印刷用紙の通し番号のいずれで指定するかの選択と、選択された原稿ページおよび印刷用紙の通し番号のうちのいずれかで印刷処理すべき範囲を指定する入力とを行う印刷設定画面と、該印刷設定画面により入力される印刷範囲設定情報を記憶する設定記憶手段と、
前記設定記憶手段に記憶された印刷範囲設定情報と前記メモリに記憶されている文書構造情報とに基づいて、指定された原稿ページまたは印刷用紙の通し番号により指定される範囲の前記ドキュメントデータを前記管理手段から取得する取得手段と、
前記取得手段により取得された原稿ページに相当するドキュメントを描画データとして受け取り、該受け取った描画データを、前記印刷装置で印刷すべく印刷データに変換する変換手段と
を備えることを特徴とする情報処理装置。
【請求項４】
ドキュメントデータに対して、印刷装置で印刷処理される印刷物の印刷体裁設定を含む印刷設定を行う情報処理装置において、
生成されるドキュメントデータを、設定されている複数の章に分け、更に各章を複数の原稿ページとして分けたツリー構造で示す文書構造情報をメモリに記憶して管理する管理手段と、
印刷処理すべき対象を、任意の章番号で指定する指定手段と、
前記管理手段により管理されるドキュメントデータに設定されている印刷体裁設定と前記文書構造情報とに基づいて、前記指定手段で指定される章番号に含まれるドキュメントデータの原稿ページを判断する判断手段と、
前記判断手段により判断されたすべての原稿ページに相当するドキュメントデータを前記管理手段から取得する取得手段と、
前記取得手段により取得された原稿ページに相当するドキュメントを描画データとして受け取り、該受け取った描画データを前記印刷装置で印刷すべく印刷データに変換する変換手段と
を備えることを特徴とする情報処理装置。
【請求項５】
ドキュメントデータが印刷装置で印刷処理される場合の印刷設定を行う情報処理装置において、
生成されるドキュメントデータの各原稿ページの構造をツリー構造で示す文書構造情報をメモリに記憶して管理する管理手段と、
複数の冊子に分冊して印刷を行う製本印刷が印刷体裁として設定されている場合に、印刷処理すべき範囲を、分冊単位で指定する指定手段と、
前記指定手段に指定された分冊単位の印刷範囲と前記管理手段により管理されるドキュメントデータの文書構造情報とに基づいて、指定された分冊の冊子に配置される原稿ページに相当する前記ドキュメントデータの原稿ページを判断する判断手段と、
前記判断手段により判断されたすべての原稿ページに相当するドキュメントデータを前記管理手段から取得する取得手段と、
前記取得手段により取得された原稿ページに相当するドキュメントを描画データとして受け取り、該受け取った描画データを、前記印刷装置で印刷すべく印刷データに変換する変換手段と
を備えることを特徴とする情報処理装置。
【請求項６】
ドキュメントデータに対して、印刷装置で印刷処理される印刷物の印刷体裁設定を含む印刷設定を行う情報処理方法において、
生成されるドキュメントデータの各原稿ページの構造をツリー構造で示す文書構造情報をメモリに記憶して管理する管理工程と、
印刷処理すべきページを、アプリケーションにより生成されるページである原稿ページで指定する指定工程と、
前記メモリに記憶されているドキュメントデータに設定されている印刷体裁設定と前記文書構造情報とに基づいて、前記印刷装置で印刷処理される印刷用紙の中で、前記指定工程で指定される原稿ページがどの印刷用紙に配置されるかを判断する判断工程と、
前記判断工程により判断された印刷用紙に配置すべきすべての原稿ページに相当するドキュメントデータを前記管理手段から取得する取得工程と、
前記取得工程により取得された原稿ページに相当するドキュメントを描画データとして受け取り、該受け取った描画データを前記印刷装置で印刷すべく印刷データに変換する変換工程とを備え、
前記印刷体裁設定は、複数の原稿ページを１枚の印刷用紙に配置する設定であり、
前記取得工程では、前記指定された原稿ページが配置されると前記判断工程により判断された印刷用紙上に配置されるすべての原稿ページのドキュメントデータを取得することを特徴とする情報処理方法。
【請求項７】
ドキュメントデータに対して、印刷装置で印刷処理される印刷物の印刷体裁設定を含む印刷設定を行う情報処理方法において、
生成されるドキュメントデータの各原稿ページの構造をツリー構造で示す文書構造情報をメモリに記憶して管理する管理工程と、
印刷処理すべきページを、前記印刷装置で印刷処理される印刷用紙の通し番号で指定する指定工程と、
前記メモリに記憶されている文書構造情報に基づいて、前記印刷装置で印刷処理される印刷用紙の中で、前記指定工程で指定される通し番号の印刷用紙に配置される原稿ページを判断する判断工程と、
前記判断工程により判断されたすべての原稿ページに相当するドキュメントデータを前記メモリから取得する取得工程と、
前記取得工程により取得された原稿ページに相当するドキュメントを描画データとして受け取り、該受け取った描画データを前記印刷装置で印刷すべく印刷データに変換する変換工程と
を備えることを特徴とする情報処理方法。
【請求項８】
ドキュメントデータが印刷装置で印刷処理される場合の印刷設定を行う情報処理方法において、
生成されるドキュメントデータの各原稿ページの構造をツリー構造で示す文書構造情報をメモリに記憶して管理する管理手段と、
印刷処理すべき範囲を、アプリケーションにより生成されるページである原稿ページまたは前記印刷装置で印刷処理される印刷用紙の通し番号のいずれで指定するかの選択と、選択された原稿ページおよび印刷用紙の通し番号のうちのいずれかで印刷処理すべき範囲を指定する入力とを行う印刷設定画面と、該印刷設定画面により入力される印刷範囲設定情報を記憶する設定記憶工程と、
前記設定記憶工程により記憶された印刷範囲設定情報と前記メモリに記憶されている文書構造情報とに基づいて、指定された原稿ページまたは印刷用紙の通し番号により指定される範囲の前記ドキュメントデータを前記メモリから取得する取得工程と、
前記取得工程により取得された原稿ページに相当するドキュメントを描画データとして受け取り、該受け取った描画データを、前記印刷装置で印刷すべく印刷データに変換する変換工程と
を備えることを特徴とする情報処理方法。
【請求項９】
ドキュメントデータに対して、印刷装置で印刷処理される印刷物の印刷体裁設定を含む印刷設定を行う情報処理方法において、
生成されるドキュメントデータを、設定されている複数の章に分け、更に各章を複数の原稿ページとして分けたツリー構造で示す文書構造情報をメモリに記憶して管理する管理工程と、
印刷処理すべき対象を、任意の章番号で指定する指定工程と、
前記管理工程により管理されるドキュメントデータに設定されている印刷体裁設定と前記文書構造情報とに基づいて、前記指定工程で指定される章番号に含まれるドキュメントデータの原稿ページを判断する判断工程と、
前記判断工程により判断されたすべての原稿ページに相当するドキュメントデータを前記メモリから取得する取得工程と、
前記取得工程により取得された原稿ページに相当するドキュメントを描画データとして受け取り、該受け取った描画データを前記印刷装置で印刷すべく印刷データに変換する変換工程と
を備えることを特徴とする情報処理方法。
【請求項１０】
ドキュメントデータが印刷装置で印刷処理される場合の印刷設定を行う情報処理方法において、
生成されるドキュメントデータの各原稿ページの構造をツリー構造で示す文書構造情報をメモリに記憶して管理する管理工程と、
複数の冊子に分冊して印刷を行う製本印刷が印刷体裁として設定されている場合に、印刷処理すべき範囲を、分冊単位で指定する指定工程と、
前記指定工程により指定された分冊単位の印刷範囲と前記管理工程により管理されるドキュメントデータの文書構造情報とに基づいて、指定された分冊の冊子に配置される原稿ページに相当する前記ドキュメントデータの原稿ページを判断する判断工程と、
前記判断工程により判断されたすべての原稿ページに相当するドキュメントデータを前記メモリから取得する取得工程と、
前記取得工程により取得された原稿ページに相当するドキュメントを描画データとして受け取り、該受け取った描画データを、前記印刷装置で印刷すべく印刷データに変換する変換工程と
を備えることを特徴とする情報処理方法。
【請求項１１】
請求項６乃至１０のいずれか１項に記載の情報処理方法をコンピュータにより実現させるためのコンピュータプログラム。
【請求項１２】
請求項１１項に記載のコンピュータプログラムを格納するためのコンピュータ可読記憶媒体。
【手続補正２】
【補正対象書類名】明細書
【補正対象項目名】００１２
【補正方法】変更
【補正の内容】
【００１２】
ドキュメントデータに対して、印刷装置で印刷処理される印刷物の印刷体裁設定を含む印刷設定を行う情報処理装置において、生成されるドキュメントデータの各原稿ページの構造をツリー構造で示す文書構造情報をメモリに記憶して管理する管理手段と、印刷処理すべきページを、アプリケーションにより生成されるページである原稿ページで指定する指定手段と、前記メモリに記憶されているドキュメントデータに設定されている印刷体裁設定と前記文書構造情報とに基づいて、前記印刷装置で印刷処理される印刷用紙の中で、前記指定手段で指定される原稿ページがどの印刷用紙に配置されるかを判断する判断手段と、前記判断手段により判断された印刷用紙に配置すべきすべての原稿ページに相当するドキュメントデータを前記管理手段から取得する取得手段と、前記取得手段により取得された原稿ページに相当するドキュメントを描画データとして受け取り、該受け取った描画データを前記印刷装置で印刷すべく印刷データに変換する変換手段とを備え、前記印刷体裁設定は、複数の原稿ページを１枚の印刷用紙に配置する設定であり、前記取得手段は、前記指定された原稿ページが配置されると前記判断手段により判断された印刷用紙上に配置されるすべての原稿ページのドキュメントデータを取得することを特徴とする。
【手続補正３】
【補正対象書類名】明細書
【補正対象項目名】００１３
【補正方法】変更
【補正の内容】
【００１３】
また他の構成によれば、ドキュメントデータに対して、印刷装置で印刷処理される印刷物の印刷体裁設定を含む印刷設定を行う情報処理装置において、生成されるドキュメントデータの各原稿ページの構造をツリー構造で示す文書構造情報をメモリに記憶して管理する管理手段と、印刷処理すべきページを、前記印刷装置で印刷処理される印刷用紙の通し番号で指定する指定手段と、前記メモリに記憶されている文書構造情報に基づいて、前記印刷装置で印刷処理される印刷用紙の中で、前記指定手段で指定される通し番号の印刷用紙に配置される原稿ページを判断する判断手段と、前記判断手段により判断されたすべての原稿ページに相当するドキュメントデータを前記管理手段から取得する取得手段と、前記取得手段により取得された原稿ページに相当するドキュメントを描画データとして受け取り、該受け取った描画データを前記印刷装置で印刷すべく印刷データに変換する変換手段とを備えることを特徴とする。
【手続補正４】
【補正対象書類名】明細書
【補正対象項目名】００１４
【補正方法】変更
【補正の内容】
【００１４】
また他の構成によれば、ドキュメントデータが印刷装置で印刷処理される場合の印刷設定を行う情報処理装置において、生成されるドキュメントデータの各原稿ページの構造をツリー構造で示す文書構造情報をメモリに記憶して管理する管理手段と、印刷処理すべき範囲を、アプリケーションにより生成されるページである原稿ページまたは前記印刷装置で印刷処理される印刷用紙の通し番号のいずれで指定するかの選択と、選択された原稿ページおよび印刷用紙の通し番号のうちのいずれかで印刷処理すべき範囲を指定する入力とを行う印刷設定画面と、該印刷設定画面により入力される印刷範囲設定情報を記憶する設定記憶手段と、前記設定記憶手段に記憶された印刷範囲設定情報と前記メモリに記憶されている文書構造情報とに基づいて、指定された原稿ページまたは印刷用紙の通し番号により指定される範囲の前記ドキュメントデータを前記管理手段から取得する取得手段と、前記取得手段により取得された原稿ページに相当するドキュメントを描画データとして受け取り、該受け取った描画データを、前記印刷装置で印刷すべく印刷データに変換する変換手段とを備えることを特徴とする。
【手続補正５】
【補正対象書類名】明細書
【補正対象項目名】００１５
【補正方法】変更
【補正の内容】
【００１５】
また他の構成によれば、ドキュメントデータに対して、印刷装置で印刷処理される印刷物の印刷体裁設定を含む印刷設定を行う情報処理装置において、生成されるドキュメントデータを、設定されている複数の章に分け、更に各章を複数の原稿ページとして分けたツリー構造で示す文書構造情報をメモリに記憶して管理する管理手段と、印刷処理すべき対象を、任意の章番号で指定する指定手段と、前記管理手段により管理されるドキュメントデータに設定されている印刷体裁設定と前記文書構造情報とに基づいて、前記指定手段で指定される章番号に含まれるドキュメントデータの原稿ページを判断する判断手段と、前記判断手段により判断されたすべての原稿ページに相当するドキュメントデータを前記管理手段から取得する取得手段と、前記取得手段により取得された原稿ページに相当するドキュメントを描画データとして受け取り、該受け取った描画データを前記印刷装置で印刷すべく印刷データに変換する変換手段とを備えることを特徴とする。
【手続補正６】
【補正対象書類名】明細書
【補正対象項目名】００１６
【補正方法】変更
【補正の内容】
【００１６】
また他の構成によれば、ドキュメントデータが印刷装置で印刷処理される場合の印刷設定を行う情報処理装置において、生成されるドキュメントデータの各原稿ページの構造をツリー構造で示す文書構造情報をメモリに記憶して管理する管理手段と、複数の冊子に分冊して印刷を行う製本印刷が印刷体裁として設定されている場合に、印刷処理すべき範囲を、分冊単位で指定する指定手段と、前記指定手段に指定された分冊単位の印刷範囲と前記管理手段により管理されるドキュメントデータの文書構造情報とに基づいて、指定された分冊の冊子に配置される原稿ページに相当する前記ドキュメントデータの原稿ページを判断する判断手段と、前記判断手段により判断されたすべての原稿ページに相当するドキュメントデータを前記管理手段から取得する取得手段と、前記取得手段により取得された原稿ページに相当するドキュメントを描画データとして受け取り、該受け取った描画データを、前記印刷装置で印刷すべく印刷データに変換する変換手段とを備える。